(57)【要約】【課題】引き戸式扉６の戸当り側端面が対向する戸当り縦枠７における表裏両面を間仕切パネル４０にて覆って外観を向上させると同時に、間仕切パネル４０の端部の装着作業を容易にする。【解決手段】支柱３０、２９の表裏を覆うように間仕切パネル４、４０で構成された仕切り壁に設けた出入り口における戸当り側の縦支柱２９に、引き戸式扉６の閉止側縦面６ａが対向する縦凹溝部６３を有する断面略コ字状の戸当り縦枠７を固定する。戸当り縦枠７における縦凹溝部６３を挟む表裏両側の縦リブ部６２、６２に、間仕切パネル４０における表面板１１′の一方の縦長の係合縁片１１ａ′を被嵌係止し、表面板１１′の他方の係止縁片１３を支柱３０に取付け金具３７にて固定する。【選択図】　図５
2004052406.tif 000002
【特許請求の範囲】
【請求項１】
適宜間隔にて立設した支柱の表裏を覆うように壁パネルで構成された仕切り壁に設けた出入り口における戸当り側の縦支柱に、引き戸式扉の閉止側縦面が対向する縦凹溝部を有する断面略コ字状の戸当り縦枠を固定し、
該戸当り縦枠における前記縦凹溝部を挟む表裏両側の縦リブ部に、前記壁パネルにおける外層板の一方の縦側縁片を被嵌係止し、該外層板の他方の縦側縁片を他方の支柱に固定したことを特徴とする引き戸式扉に対する戸当り部の構造。
【請求項２】
前記引き戸式扉の閉止側縦面に設けられた戸当りクッション体が、前記戸当り縦枠における前記縦凹溝部に嵌まるよう構成されていることを特徴とする請求項１に記載の引き戸式扉に対する戸当り部の構造。
【請求項３】
前記戸当り縦枠における前記縦凹溝部には、前記引き戸式扉の閉止側縦面または前記戸当りクッション体に当接する戸当りクッション部材を設けことを特徴とする請求項１または請求項２に記載の引き戸式扉に対する戸当り部の構造。
【請求項４】
前記引き戸式扉は、前記出入り口の上方に開口方向に延びるように配置されたレール装置により吊支されて移動可能に構成されていることを特徴とする請求項１乃至３のいずれかに記載の引き戸式扉に対する戸当り部の構造。
【発明の詳細な説明】
【０００１】
【発明の属する技術分野】
本発明は、引き戸式扉装置により締め切る戸当り部の構成に係り、より詳しくは、該戸当り部の施行を容易にし、且つ美観を向上できる構造に関するものである。
【０００２】
【従来の技術】
従来から、特開平１０−４６９２３号公報及び特開２０００−２９１１８０号公報等に開示されているように、建物内を仕切る間仕切壁等に設けた出入り口を塞ぐための吊支式で開閉自在な引き戸式の扉の上部と、当該引き戸式扉を大きく開いた状態のときの表裏両面の部分を覆うための戸袋の上部とにわたって、前記引き戸式扉を移動自在に案内する吊支レールやサスペンションレール等の上部案内装置（レール装置）を設けている。
【０００３】
そして、これらの先行技術では、出入り口における戸当り側の縦枠部材には、前記引き戸式扉の閉止側（以下、戸当り側という）の縦端面に設けた戸当りクッション体が当接するときの戸当り凹所やクッションを設けている。この戸当り側の縦枠部材の背面は、間仕切壁との境界となるため、間仕切パネルの縦縁が前記縦枠部材の背面部に当接するように配置される結果、当該戸当り側の縦枠部材が間口方向から縦長の枠として見えるようにしてるのが通常であった。
【０００４】
【発明が解決しようとする課題】
そのため、前記戸当り側の縦枠部材の背面に隣接する間仕切パネルの端部を固定する方法としては、戸当り側の縦枠部材の背面側に、間仕切壁の厚さの中心部を支持する支柱を設け、この支柱に、間仕切パネルの端部をビスで固定すると、そのビス頭が間口方向に露出して見えることになり、デザイン的に不都合である。従って、この支柱に、前記間仕切パネルを接着したり、間仕切パネルの縦方向の端部を嵌め入れる縦長の嵌合縦溝を、前記戸当り側の縦枠部材の背面側に形成する等のことが考えられた。
【０００５】
前記間仕切パネルを支柱の外面に接着すると、その間仕切パネルの交換時には、接着部が簡単に剥がせないから、間仕切パネルを壊すことになり、作業が非常に困難で手間が係る。また、支柱にもダメージを与えるという問題があった。
【０００６】
前記戸当り側の縦枠部材の背面側に形成された嵌合縦溝に前記間仕切パネルの縦方向の端部を嵌め入れる構成であっても、その間仕切パネルの取り付けや交換に際して前記戸当り側の縦枠部材を一々支柱に対して着脱・固定するという作業を行う必要があり、手間が掛かるという問題は解消できなかった。
【０００７】
さらに、前記戸当り側の縦枠部材の背面側にその壁厚さ方向に突出する縦リブ部を設け、その縦リブ部の内方に形成された嵌合縦溝に前記間仕切パネルの縦方向の端部を嵌め入れる構成では、間仕切パネルの表面よりも戸当り側の縦枠部材の縦リブ部の表面が壁の厚さ方向に突出してしまい、前記出入り口を通過する人が前記縦リブ部に当たる等して障害となる。さらに、前記縦リブ部のために、間仕切壁全体として面一状に形成できず、引き戸式扉を含む間仕切装置としての美観（デザイン）を損なうという問題があった。なお、引き戸式扉が吊支式のものでなくとも前記問題は発生する。
【０００８】
本発明は、これらの従来の問題点を解決するためになされたものであって、引き戸式扉に対する戸当り部の施行を容易にし、且つ美観を向上できる構造を提供することを目的とするものである。
【０００９】
【課題を解決するための手段】
前記目的を達成するため、請求項１に記載の発明の引き戸式扉に対する戸当り部の構造は、適宜間隔にて立設した支柱の表裏を覆うように壁パネルで構成された仕切り壁に設けた出入り口における戸当り側の縦支柱に、引き戸式扉の閉止側縦面が対向する縦凹溝部を有する断面略コ字状の戸当り縦枠を固定し、
該戸当り縦枠における前記縦凹溝部を挟む表裏両側の縦リブ部に、前記壁パネルにおける外層板の一方の縦側縁片を被嵌係止し、該外層板の他方の縦側縁片を支柱に固定したことを特徴とするものである。
【００１０】
また、請求項２に記載の発明は、請求項１に記載の引き戸式扉に対する戸当り部の構造において、前記引き戸式扉の閉止側縦面に設けられた戸当りクッション体が、前記戸当り縦枠における前記縦凹溝部に嵌まるよう構成されていることを特徴とするものである。
【００１１】
そして、請求項３に記載の発明は、請求項１又は請求項２に記載の引き戸式扉に対する戸当り部の構造において、前記戸当り縦枠における前記縦凹溝部には、前記引き戸式扉の閉止側縦面または前記戸当りクッション体に当接する戸当りクッション部材を設けものである。
【００１２】
請求項４に記載の発明は、請求項１乃至３のいずれかに記載の引き戸式扉に対する戸当り部の構造において、前記引き戸式扉は、前記出入り口の上方に開口方向に延びるように配置されたレール装置により吊支されて移動可能に構成されているものである。
【００１３】
【発明の実施の形態】
次に、本発明を具体化した実施形態について図面を参照しながら説明する。図１は、建物の間仕切壁１に設けた出入り口２を引き戸式扉３にて開閉する引き戸装置とそれに隣接する戸袋部５の概略正面図、図２は壁パネルの下部の支持構造を示す斜視図、図３は図１の　ＩＩＩ−ＩＩＩ　線矢視断面図、図４は図１のＩＶ−ＩＶ線矢視断面図、図５図１のＶ−Ｖ線矢視拡大断面図、図６は戸袋パネルと欄間パネル（点検パネル）と上下連結部の一部切欠き斜視図、図７は図１のＶＩＩ　−ＶＩＩ　線矢視一部切欠き断面図、図８は戸袋パネルの縦断面図、図９は戸袋パネルの横断面図、図１０（ａ）及び図１０（ｂ）は欄間パネル及び点検パネルの断面図、図１１は第２実施形態の拡大断面図、図１２は第２実施形態の拡大断面図である。
【００１４】
図１に示すように、建物の間仕切壁１は、室内の床面に固定した巾木レール（地レール）２と、天井面に固定された笠木レール（天レール）３との間を壁パネルとしての間仕切パネル４と欄間パネル５とで仕切られている。間仕切壁１に設けられた出入り口には、右開きの引き戸式扉６が配置されている。この出入り口のうち左端には、右開きの引き戸式扉６の閉止側端（戸当り側）が当接し得る戸当り縦枠７が後述する形態で配置され（図５参照）、前記出入り口の右側には、開いた状態の引き戸式扉６の大部分を収納できる戸袋部８を構成する表裏一対の壁パネルである戸袋パネル９，９が立設されている。前記出入り口から戸袋部８にわたる上部の欄間部の空間には、引き戸式扉６を吊支して横移動可能に支持するサスペンション式レール等のレール装置１０が配置されている。
【００１５】
間仕切パネル４、欄間パネル５及び戸袋パネル９は、金属薄板等にて構成された表面板（外層板）１１の裏面側に石膏ボード１２を張設してある。縦長の間仕切パネル４における表面板（外層板）１１の左右両縦縁部には、図２、図３、図４及び図５に示すように、断面Ｕ字状の係止縁片１３が外向き湾曲形成されている。そして、各係止縁片１３の下部寄り部位は、上下に寸法Ｈ１だけ切欠き個所１５が形成されている（図２参照）。また、前記間仕切パネル４における表面板１１の左右両縦縁部の下端には、前記巾木レール２の上向き側片２ａが嵌まる係止溝１６が下向き開放状に形成され、係止溝１６に嵌まった上向き側片２ａは下向きの補強部材（図示せず）の内面に摺接し得るものである。
【００１６】
間仕切パネル４の側部（係止縁片１３）と隣接する側の戸袋パネル９における表面板１１の一方の縦縁部には、間仕切パネル４と同様に形成された断面Ｕ字状の係止縁片１３が外向き湾曲形成され、係止縁片１３の下部寄り部位は、上下に寸法Ｈ１だけ切欠き個所１５が形成されている（図２参照）。また、戸袋パネル９の裏面の上下部位は断面コ字状等の補強部材１４ａ，１４ｂがそれぞれ開口側を上向き及び下向きにして固定されている（図６、図８等参照）。戸袋パネル９における表面板１１の左右両縦縁部の下端には、前記巾木レール２の上向き側片２ａが嵌まる係止溝１６が下向き開放状に形成され、係止溝１６に嵌まった上向き側片２ａは前記下向きの補強部材１４ｂの内面に摺接し得るものである（図８参照）。なお、戸袋パネル９における戸袋入り口側には筒枠状の縦補強部材１７が表面板１１の裏面で囲まれるように配置されている（図９参照）。さらに、図６に示すように、戸袋パネル９における表面板１１の上端を水平内向きに屈曲させ、前記断面上向きコ字状等の補強部材１４ａ内に嵌まる横長の係止溝１８が形成され、後述するように出入り口の上部の欄間パネル２０及び点検パネル２１の下端の係止片２２を差し込み係止できるように構成されている（図６参照）。
【００１７】
前記欄間パネル２０及び点検パネル２１の形状・構成は、図１０（ａ）及び図１０（ｂ）に示すように、同じものである。即ち、薄い金属板等の表面板（外層板）２３の裏面の下部寄り部位には、補強部材２４が点溶接等により固定されている。該補強部材２４の一部は前記表面板２３から離れるような膨出部２４ａが形成されている。前記表面板２３の上下端部は内向き水平状に屈曲させた縁片２３ａ，２３ｂとなし、前記補強部材２４の一部が下向きに延出して前記下縁片２３ｂより下方に突出させた係止片２２が構成されている（図６及び図１０（ａ）参照）。なお、欄間パネル２０及び点検パネル２１の表面板２３のうち上部寄りには石膏ボード２５が貼り付け（張設）られている。欄間パネル２０及び点検パネル２１における表面板２３のうち、左右方向の一方には、前記間仕切パネル４や戸袋パネル９におけると同じように断面Ｕ字状の係止縁片１３が外向き湾曲形成され、他側は内向きに直角に屈曲されている（図１０（ｂ）参照）。
【００１８】
次に、前記間仕切パネル４及び戸袋パネル９を立設する構成について図２等を参照しながら説明する。前記間仕切パネル４及び戸袋パネル９の縦方向の端部を固定するための断面略コ字状の金属製等の支柱３０を巾木レール２と笠木レール３との間に所定の間隔にて立設するため、まず、床面に埋め込みボルト（アンカーボルト）３３等にて固定した上向きコ字状断面の巾木レール２内に、下端にボルト型のアジャスタ３２を螺合させた横断面矩形状のアジャスタ受け杆３１を挿入配置する。このアジャスタ受け杆３１の四周外面の上下中途位置には、ダボ３４が突出形成されており、前記アジャスタ受け杆３２を前記支柱３０の下端から挿入たとき、当該支柱３０を脱落しないようにダボ３４にて支持できるものである。そして、前記アジャスタ受け杆３０の表裏外面（巾木レール２の上向き側片２ａ、２ａと対面する側）には、一対の上向き爪部３５ａ，３５ａを備えた取付け金具３５がネジ３６にて固定されている。
【００１９】
なお、前記支柱３０の上端を笠木レール３に取り付ける構成は、図示しないが、実開平６−４４８２８号公報に開示の構成等を利用する。即ち、支柱３０の上端部に嵌挿固定させた上向き付勢手段付きの押圧体を断面下向きコ字状の笠木レール３の溝内に挿入する。その他の公知の構成を採用しても良い。
【００２０】
上記の構成により、間仕切パネル４及び戸袋パネル９の下端のそれぞれの係合溝１６を、巾木レール２の上向き側片２ａに上方から差し込み、略同時に縦側縁における係止縁片１３の下部寄り部位の切欠き個所１５を前記取付け金具３５に接近させ、当該切欠き個所１５の上側の係止縁片１３の下端縁を、取付け金具３５の上向き爪部３５ａに係止すると、各間仕切パネル４及び戸袋パネル９は下方向にずれないように、支柱３０に支持される。この状態で、上下に短い長さの断面コ字状の取付け金具３７（図５及び図６参照）を、前記支柱３０の外面にて隣接した係止縁片１３、１３をその上下複数個所で挟むように被嵌し、タッピングネジ３８を介して支柱３０に固定する。前記隣接する間仕切パネル４同士及び戸袋パネル９の縦側縁に沿って適宜間隔にて複数個所に前記取付け金具３７を取り付けするものとする。その後、隣接する間仕切パネル４同士及び戸袋パネル９の縦側縁の隙間を塞ぎ、且つ前記取付け金具３７が外から見えないように、前記隙間に断面コ字状等の長い目地材３９を挿入して塞ぐのである。
【００２１】
次に、戸当り側の構成について、図５を参照しながら説明すると、間仕切り壁の出入り口における戸当り側の縦支柱２９は、前記支柱３０と同じく略コ字状の横断面形状であり、巾木レール２に対して前記図２に示すアジャスタ受け部材３１を介して立設されている。この縦支柱２９における戸当り側には、横断面略コ字状の金属製の戸当り縦枠７がタッピンネジ６０にて固定されている。第１実施形態の戸当り縦枠７は、前記縦支柱２９の表裏両外面に対して被嵌する第１の縦凹溝部６１と、前記壁パネルとしての間仕切パネル４０の厚さ寸法Ｔ１に略等しい厚さ寸法を有する表裏一対の断面略矩形状の縦リブ部６２、６２と、該一対の断面略矩形状の縦リブ部６２、６２の他端間に形成される第２の縦凹溝部６３とから構成されている。
【００２２】
その場合、この第２の縦凹溝部６３は、引き戸式扉６における縦長の閉止側縦面６ａもしくは当該閉止側縦面６ａに設けた縦長の戸当りクッション体６４と対向しており、さらに、第２の縦凹溝部６３の巾寸法Ｔ２（前記厚さ寸法Ｔ１と同方向の寸法）は、前記閉止側縦面６ａまたは軟質合成樹脂（ゴム）製の縦長の戸当りクッション体６４の巾寸法Ｔ３より若干大きく設定されている。そして、この第２の縦凹溝部６３の内部には、図５に示すように、中空状の軟質合成樹脂（ゴム）製の縦長の戸当りクッション部材６５が前記閉止側縦面６ａまたは戸当りクッション体６４に当接するように配置され、且つ戸当りクッション部材６５の基部が前記第２の縦凹溝部６３の内面に接着剤等にて固定されている。
【００２３】
引き戸式扉６の戸当り側の間仕切パネル４０は、その金属薄板製等の外層板として表面板１１′の裏面に石膏ボード１２が張設され、該表面板１１′の一方の縦側縁は、前記他の間仕切パネル４と同様の係止縁片１３に形成されている。前記表面板１１′の他方の縦側縁片を断面コ字状に屈曲させた上下長手の係合縁部１１ａ′に形成する。
【００２４】
そして、この戸当り側の表裏一対の間仕切パネル４０は、それぞれの前記係合縁部１１ａ′を前記第２の縦凹溝部６３に外面側から被嵌係合し、この係合縁部１１ａ′に隣接する表面板１１′を各縦リブ部６２の外面に当接させる。他方、前記間仕切パネル４０における係止縁片１３と、それに隣接する間仕切パネル４の係止縁片１３とをその上下複数個所で前記取付け金具３７にて挟み込み、タッピンネジ３８にて支柱３０に固定する。そして、隣接する間仕切パネル４、４０の縦側縁の隙間を塞ぎ、且つ前記取付け金具３７が外から見えないように、前記隙間に断面コ字状等の長い目地材３９を挿入して塞ぐのである。
【００２５】
上記の構成によれば、戸当り縦枠７の表裏両縦リブ部６２、６２の間の第２の縦凹溝部６３に対して間仕切パネル４０の表面板１１′の端部の縦側縁片としての係合縁部１１ａ′を外面側から被嵌係合するから、戸当り縦枠７を先に立設した状態で、間仕切パネル４０を後に取り付けでき、間仕切パネル４０の交換等の施工作業が容易になる。そして、当該表裏両縦リブ部６２、６２が、前記間仕切パネル４０の表面板１１′にて一体的に覆われるから、当該戸当り縦枠７及び縦支柱２９を間仕切パネル４０にて覆い隠すことになり、出入り口を構成する枠体が外部から見えず、出入り口及び引き戸式扉装置の外観（デザイン）をすっきりと向上させることができるという効果を奏する。
【００２６】
また、隣接する間仕切パネル４０、４とが面一状に配置できて、従来のように出入り口の戸当り側の縦枠が間仕切パネル４０の表面より表裏両側に突出することがなく、出入りする人の邪魔にならない。
【００２７】
図１１は、戸当り部の構成の第２実施形態を示し、戸当り縦枠７は前記第１実施形態と同じ横断面であり、縦支柱２９に対する固定も同じである。前記一対の間仕切パネル４０における外層板としての各表面板１１′の一端の前記第２の縦凹溝部６３に対する係合縁部１１ａ′の遊端をさらに第２の縦凹溝部６３の巾の内方向に断面Ｌ字状に屈曲させた取り付け部６６を設け、この一対の取り付け部６６に、戸当りクッション部材６７を係合させる。この場合、戸当りクッション部材６７のうち引き戸式扉６の戸当りクッション体６４に当接する部分６７ａは中空状の軟質合成樹脂（ゴム）にて形成し、前記一対の取り付け部６６に係合する基部６７ｂは硬質の合成樹脂にて形成するものであり、射出成形機械にて部分６７ａと基部６７ｂとを同時に成形する２色成形とすることが好ましい。
【００２８】
図１２は戸当り部の構成の第２実施形態を示し、戸当り縦枠７における表裏両縦リブ部６２、６２の一端（自由端）の屈曲部６２ａ、６２ａを縦支柱２９の表裏外面に当接して、その部分でタッピンネジ６０にて固定する。従って、前記一対の屈曲部６２ａ、６２ａの間が第１の縦凹溝部に相当する。そして、前記一対の縦リブ部６２、６２の他端（戸当り側）は、断面略コ字状の片６２ｂにて連設することにより、第２の縦凹溝部が形成される。この第２の縦凹溝部に引き戸式扉６の戸当りクッション体６４が嵌まり込んで直接当接するように構成しても良いし、前記第１実施形態のような戸当りクッション部材を固定しても良い。これら第２及び第３実施形態においても、間仕切パネル４０の表面板１１′の係合縁部１１ａ′が第２の縦凹溝部に被嵌係合するし、それに隣接する表面板１１′が縦リブ部６２、６２の表面を覆い、且つ間仕切パネル４０の全体で縦支柱２９の表裏両面を覆うことができるから、第１実施形態のものと略同じ作用・効果を奏することができる。
【００２９】
次に、前記出入り口の上部の構成について説明すると、前記レール装置１０が配置される出入り口及び戸袋部８を挟む一対の支柱３０、３０に対して間口方向に横長の支持枠体４１の名手両端をボルト４２、４２にて連結固定する（図３及び図７参照）。この支持枠体４１の片面に、レール装置１０の１実施形態のサスペンションレール４３を装着する。このサスペンション式レール４３は、従来から公知の固定レール４４と、これに対して横往復移動可能な中間レール４５と、さらに中間レール４５に対して横往復移動可能な移動レール４６と、各レールの案内溝に沿って配置したリテーナ付きボールからなる。この移動レール４６に、移動方向に適宜隔てて２本のハンガーブラケット４７を固定し、該各ハンガーブラケット４７の下端に、引き戸式扉６の上端から上向き突出する吊棒４８を固定連結する（図７参照）。なお、前記固定レール４４を、戸袋部８側で高い位置に、閉じ側（戸当り側）で低い位置にセットすることにより、引き戸式扉６は閉じ方向に自動的に移動する自閉式扉となるように構成されている。また前記戸当り側の支持枠体４１にショックアブゾーバー（図示せず）を設けて引き戸式扉６が戸当り側に接近したときの速度を緩和し、衝撃音を出さないようにしている。
【００３０】
そして、前記レール装置１０が配置された欄間部分の表面または裏面のいずれか片面（実施形態では裏面）は欄間パネル２０に覆い、この欄間パネル２０は通常は取り外せないよう固定する一方、他の片面（実施形態では表面）は点検パネル２にて覆い、レール装置１０のメインテナンス時に取外し可能に構成されている。
【００３１】
その構成を詳述すると、前述した欄間パネル２０の上端縁片２３ａの部分を断面下向きコ字状の笠木レール３の溝内に上向きに挿入し、次いで、欄間パネル２０の下端の係止片２２を戸袋パネル９の上端に形成された係止溝１８に嵌め入れる。そして、前記欄間パネル２０の裏面の補強部材２４における膨出部２４ａを前記支持枠体４１に当接した状態で、欄間部の開放側空間から、ビス５０にて固定する。他方の点検パネル２１も同様にしてその上端縁片２３ａの部分を断面下向きコ字状の笠木レール３の溝内に上向きに挿入し、次いで、点検パネル２１の下端の係止片２２を戸袋パネル９の上端に形成された係止溝１８に嵌め入れる。当該点検パネル２１の裏面の補強部材２４における膨出部２４ａは、前記支持枠体４１の上端等に被嵌する等してビス５２にて固定した受けブラケット５１（図７参照）の剛性の高い表面板５１ａに当接した状態で保持するので欄間空間への倒れ込みは防止できる。いずれにしても、欄間パネル２０及び点検パネル２１の表面板２３の広い面積部分は、前記支持枠体４１や受けブラケット５１にて受け支持されるから、表面板２３がベコベコしない。
【００３２】
床面から天井面までの高さ寸法が定尺でない場合、前記笠木レール３の溝内に欄間パネル５、２０及び点検パネル２１の上端側を納めることで、欄間パネル５、２０及び点検パネル２１の上端側を切り取って、高さ寸法を低くする手間を省くことができる。また、間仕切壁及び本発明の引き戸式扉装置を間口方向から観察するとき、前記笠木レール２の高さ寸法だけの２本の水平線（ライン）が天井付近に見えるだけであるから、間仕切壁及び引き戸式扉装置のデザインがすっきりとシンプルになる。これに比べて、従来では、欄間パネル５、２０及び点検パネル２１の上端と笠木レール２の下端縁との間に水平に長い隙間（従って、天井面から合計３本の水平線（ライン））が見えてデザインがシンプルでない。
【００３３】
なお、欄間パネル２０及び点検パネル２１の表面板２３の一方の縦縁に形成された断面Ｕ字状の係止縁片１３と、隣接する欄間パネル５の係止縁片１３とを前記取付け金具３７にて固定しておけば、この部分の取り付け強度は一層向上する。また、長手の目地部材３９にて、前記両パネル２０（２１）と５の隙間を塞ぐことはいうまでもない。このようにして、レール装置１０のメインテナンス作業を実行するときには、前記一方の点検パネル２１のみを取り外せば良く、メインテナンス作業が容易となる。
【００３４】
なお、前記いずれの実施形態でも、引き戸式扉６の厚さは、それに取り付ける錠前の厚さ寸法等から薄くするには限度がある。それに対して、本発明では、巾木レール２の上向き片２ａに対して、間仕切パネル４、４０及び戸袋パネル９の下端の係止溝１６を差し込む構成であり、さらに、これら間仕切パネル４、４０及び戸袋パネル９の上端の係止溝１８に対して欄間パネル５、２０及び点検パネル２１の係止片２２を差し込み係止する構成であり、前記係止溝１６、１８及び係止片２２が共にパネル４、９、５、２０、２１の厚さ内に設けられているから、支柱３０、縦支柱２９の厚さ寸法も可及的に小さくして、引き戸式扉装置、ひいては間仕切壁全体の厚さ寸法を可及的に薄く形成でき、また、間仕切パネル４及び戸袋パネル９、欄間パネル５、２０及び点検パネル２１の表面を面一状に形成でき、特に前記戸当り縦枠７の表裏の縦リブ部６２、６２も、戸当り側の間仕切パネル４０にて覆うことができて、出入り口の縁や戸袋部の開口端に間仕切壁の厚さ方向の凹凸を無くすることができる。
【００３５】
実施形態では、前記パネル４、９、５、２０、２１の厚さ寸法は各々１３ｍｍであり、引き戸式扉の厚さ寸法が３４ｍｍで引き戸式扉装置、ひいては間仕切壁全体の厚さ寸法を６０ｍｍに抑えることができた。
【００３６】
また、本発明は、引き戸式扉６の上部の吊懸式のレール装置１０は、図１２に示すような下向き開口状のレールに回転コロ付き吊り棒を介して引き戸式扉６を吊支するタイプであってもよい。
【００３７】
【発明の効果】
以上に詳述したように、請求項１に記載の発明の引き戸式扉に対する戸当り部の構造は、適宜間隔にて立設した支柱の表裏を覆うように壁パネルで構成された仕切り壁に設けた出入り口における戸当り側の縦支柱に、引き戸式扉の閉止側縦面が対向する縦凹溝部を有する断面略コ字状の戸当り縦枠を固定し、
該戸当り縦枠における前記縦凹溝部を挟む表裏両側の縦リブ部に、前記壁パネルにおける外層板の一方の縦側縁片を被嵌係止し、該外層板の他方の縦側縁片を支柱に固定したことを特徴とするものである。
【００３８】
従って、戸当り縦枠の表裏両縦リブ部の間のの縦凹溝部に対して壁パネルの外層板の端部の縦側縁片を外面側から被嵌係合するから、戸当り縦枠を先に立設した状態で、壁パネルを後に取り付けでき、当該壁パネルの交換等の施工作業が容易になる。そして、前記表裏両縦リブ部が、前記壁パネルの外層板にて一体的に覆われるから、当該戸当り縦枠及び縦支柱等を壁パネルにて覆い隠すことになり、出入り口を構成する枠体が外部から見えず、出入り口及び引き戸式扉装置の外観（デザイン）をすっきりと向上させることができるという効果を奏する。
【００３９】
また、請求項２に記載の発明は、請求項１に記載の引き戸式扉に対する戸当り部の構造において、前記引き戸式扉の閉止側縦面に設けられた戸当りクッション体が、前記戸当り縦枠における前記縦凹溝部に嵌まるよう構成されていることを特徴とするものであるから、請求項１に記載の発明による作用・効果に加えて、引き戸式扉の閉止時に、戸当り縦枠における前記縦凹溝部にきっちり嵌まり、ガタつくことがなく、また、閉止時の衝撃も無くなるという効果を奏する。
【００４０】
そして、請求項３に記載の発明は、請求項１又は請求項２に記載の引き戸式扉に対する戸当り部の構造において、前記戸当り縦枠における前記縦凹溝部には、前記引き戸式扉の閉止側縦面または前記戸当りクッション体に当接する戸当りクッション部材を設けものであるから、一層閉止時の衝撃も無くなるという効果を奏する。
【００４１】
請求項４に記載の発明は、請求項１乃至３のいずれかに記載の引き戸式扉に対する戸当り部の構造において、前記引き戸式扉は、前記出入り口の上方に開口方向に延びるように配置されたレール装置により吊支されて移動可能に構成されているものである。従って、出入り口の床面側に引き戸式扉の下端を案内するレールのような下枠が存在せず、出入り口のデザインが一層すっきりとするという効果を奏する。
【図面の簡単な説明】
【図１】間仕切壁及び引き戸式扉装置の概略正面図である。
【図２】戸袋部及び間仕切パネルの下部の斜視図である。
【図３】図１の　ＩＩＩ−ＩＩＩ　線矢視拡大断面図である。
【図４】図１のＩＶ−ＩＶ線矢視拡大断面図である。
【図５】図１のＶ−Ｖ線で示す戸当り部の位置部切欠き拡大断面図である。
【図６】戸袋パネルの上端と欄間パネル又は点検パネル下端との連結部を示す斜視図である。
【図７】図１のＶＩＩ　−ＶＩＩ　線矢視一部切欠き断面図である。
【図８】戸袋パネルの縦断面図である。
【図９】戸袋パネルの横断面図である。
【図１０】（ａ）は欄間パネル及び点検パネルの縦断面図、（ｂ）は欄間パネル及び点検パネルの横断面図である。
【図１１】戸当り部の第２実施形態の拡大断面図である。
【図１２】戸当り部の第３実施形態の拡大断面図である。
【符号の説明】
１　　　間仕切壁
２　　　巾木レール
３　　　笠木レール
４、４０　　　間仕切パネル
５、２０　　　欄間パネル
６　　　引き戸式扉
７　　　戸当り縦枠
９　　　戸袋パネル
１０　　　レール装置
１１、１１′　外層板としての表面板
１１ａ′　　縦側縁片としての係合縁部
１２　　　石膏ボード
１３　　　係止縁片
１６、１８　　係止溝
２１　　　点検パネル
２２　　　係止片
６２、６２　　　縦リブ部
６３　　　第２の縦凹溝部
６４　　　戸当りクッション体
６５、６７　　　戸当りクッション部材
【図１】
2004052406.tif 000003
【図２】
2004052406.tif 000004
【図３】
2004052406.tif 000005
【図４】
2004052406.tif 000006
【図５】
2004052406.tif 000007
【図６】
2004052406.tif 000008
【図７】
2004052406.tif 000009
【図８】
2004052406.tif 000010
【図９】
2004052406.tif 000011
【図１０】
2004052406.tif 000012
【図１１】
2004052406.tif 000013
【図１２】
2004052406.tif 000014